(57)【要約】【課題】確実なシール性を得ることができるシール材の固定構造を備えたソフトシール仕切弁を提供する。【解決手段】ソフトシール仕切弁の弁体１５は、金属製の弁本体２１及び雌ネジ部材２２と、弁本体２１を覆うように装着されるゴム製のシール材２３とで形成されている。シール材は、弁本体の下半部に装着されて下部弁座に当接する下部シール部２３ａと、弁本体の上半部両側面に装着されて上部弁座にそれぞれ当接する一対の上部シール部２３ｂ，２３ｂとが一体に形成され、一対の上部シール部の間に弁本体を挿入し、シール材の弾力性を利用して弁本体に凹凸係合させた後、弁本体の上部から雌ネジ部材を装着して抜け止めピンで固定することにより、弁本体と雌ネジ部材とでシール材を保持する。【選択図】図１
2014092262.tif 000002
【特許請求の範囲】
【請求項１】
弁箱の上部に、該弁箱に連通する開口部を備えた弁体収容部を連設し、前記開口部を介して弁体収容部と弁箱とに移動可能な弁体を設け、前記弁体の上部に設けられた雌ネジ部材に螺合する弁棒の回動操作により、弁体を弁体収容部に収容したときに全開状態となり、弁体を弁箱内に下降させて該弁体に装着されたゴム製のシール材の下部シール部を弁箱内周面下半部に設けられた下向き円弧状の下部弁座に当接させるとともに、該シール材の一対の上部シール部を前記開口部の弁体収容部側の対向面にそれぞれ形成された上部弁座にそれぞれ当接させて全閉状態にする仕切弁において、前記弁体は、円盤状の弁本体と、該弁本体の上部に装着される雌ネジ部材とを備え、前記シール材は、前記弁本体の下半部に装着される下部シール部と、前記弁本体の上半部に装着される上部シール部とが一体に形成されるとともに、弁本体の外面とシール材の内面とには、互いに係合して弁本体にシール材を固定するための凹凸係合部がそれぞれ形成され、前記雌ネジ部材は、シール材を装着した弁本体の上部に、前記シール材の上部を挟持した状態で装着され、弁本体の外周面から前記弁棒に直交する方向に挿入される抜け止めピンによって弁本体に固定されることを特徴とするソフトシール仕切弁。
【発明の詳細な説明】
【技術分野】
【０００１】
本発明は、ソフトシール仕切弁に関し、詳しくは、弁本体の所定位置にシール材を装着した弁体を、管路を横切る方向に移動させて弁の開閉を行うソフトシール仕切弁における弁本体へのシール材の固定構造に関する。
【背景技術】
【０００２】
弁箱の上部に、該弁箱に連通する開口部を備えた弁体収容部を連設し、前記開口部を介して弁体収容部と弁箱とに移動可能な弁体を設け、弁体を弁体収容部に収容したときに開弁状態となり、弁体を弁箱内に下降させて弁本体に設けたシール材の下部を弁箱内周面下半部に当接させるとともに、前記シール材の上部を前記開口部の開口縁に設けた弁座に当接させたときに閉弁状態となる仕切弁が知られている。
【０００３】
前記シール材を弁本体の両面に固定する構造として、弁本体及びシール材の所定位置に複数のボルト挿通孔を形成し、弁本体の両面にシール材をそれぞれ配置して前記ボルト挿通孔にボルトを挿通し、ボルト先端にナットを螺着することにより、ボルト頭とナットとで両シール材を弁本体に固定することが行われている（例えば、特許文献１参照。）。
【先行技術文献】
【特許文献】
【０００４】
【特許文献１】特許第４５１５９０６号公報
【発明の概要】
【発明が解決しようとする課題】
【０００５】
しかし、特許文献１に記載されたシール材の固定構造では、シール材を固定するためのボルトが弁体に形成したボルト挿通孔を貫通しているため、閉弁時にボルト挿通孔を通って流体が下流側に漏れ出すおそれがあった。
【０００６】
そこで本発明は、確実なシール性を得ることができるシール材の固定構造を備えたソフトシール仕切弁を提供することを目的としている。
【課題を解決するための手段】
【０００７】
上記目的を達成するため、本発明のソフトシール仕切弁は、弁箱の上部に、該弁箱に連通する開口部を備えた弁体収容部を連設し、前記開口部を介して弁体収容部と弁箱とに移動可能な弁体を設け、前記弁体の上部に設けられた雌ネジ部材に螺合する弁棒の回動操作により、弁体を弁体収容部に収容したときに全開状態となり、弁体を弁箱内に下降させて該弁体に装着されたゴム製のシール材の下部シール部を弁箱内周面下半部に設けられた下向き円弧状の下部弁座に当接させるとともに、該シール材の一対の上部シール部を前記開口部の弁体収容部側の対向面にそれぞれ形成された上部弁座にそれぞれ当接させて全閉状態にする仕切弁において、前記弁体は、円盤状の弁本体と、該弁本体の上部に装着される雌ネジ部材とを備え、前記シール材は、前記弁本体の下半部に装着される下部シール部と、前記弁本体の上半部に装着される上部シール部とが一体に形成されるとともに、弁本体の外面とシール材の内面とには、互いに係合して弁本体にシール材を固定するための凹凸係合部がそれぞれ形成され、前記雌ネジ部材は、シール材を装着した弁本体の上部に、前記シール材の上部を挟持した状態で装着され、弁本体の外周面から前記弁棒に直交する方向に挿入される抜け止めピンによって弁本体に固定されることを特徴としている。
【発明の効果】
【０００８】
本発明のソフトシール仕切弁によれば、ゴムの弾力性を利用してシール材を弁本体に装着した後、雌ネジ部材を上方から弁本体の上部に装着し、雌ネジ部材と弁本体との間にシール材の上部を挟持した状態で、弁本体の外周面から抜け止めピンを挿入することにより、ソフトシール仕切弁の弁体を形成することができるので、弁本体にボルト挿通孔のような貫通孔を設ける必要がなく、閉弁時のシール性を確保することができる。さらに、ボルト、ナットの締め付けやカシメなどの加工作業を行わずに弁体を組み立てることができるので、製造コストの削減や組立時の作業性の向上を図ることができる。
【図面の簡単な説明】
【０００９】
【図１】本発明のソフトシール仕切弁の一形態例を示す弁体の分解側面図である。
【図２】同じく弁体の正面図である。
【図３】同じく弁体の側面図である。
【図４】同じく弁体の平面図である。
【図５】同じく弁体の底面図である。
【図６】図２のVI−VI断面図である。
【図７】図３のVII−VII断面図である。
【図８】弁体を上方から見た斜視図である。
【図９】弁体を下方から見た斜視図である。
【図１０】弁本体の一部断面正面図である。
【図１１】図１０のXI−XI断面図である。
【図１２】シール材の一部断面正面図である。
【図１３】図１２のXIII−XIII断面図である。
【図１４】雌ネジ部材の一部断面正面図である。
【図１５】図１４のXV−XV断面図である。
【図１６】閉弁状態のソフトシール仕切弁を示す断面側面図である。
【図１７】開弁状態のソフトシール仕切弁を示す断面正面図である。
【発明を実施するための形態】
【００１０】
図１乃至図１７は、本発明のソフトシール仕切弁の一形態例を示すもので、まず、図１６及び図１７に示すように、ソフトシール仕切弁１１は、前後の配管に接続される弁箱１２と、該弁箱１２の上部に開口部１３を介して連設される弁体収容部１４と、前記開口部１３を介して弁体収容部１４と弁箱１２とに弁箱１２の軸線に対して直交する上下方向に移動可能な弁体１５と、前記弁体収容部１４の上部に設けられた操作部１６とを備えている。前記操作部１６に接続されるハンドルなどを操作して弁棒１７により弁体１５を弁体収容部１４に収容したときに全開状態（図１７）となり、弁体１５を弁箱１２内に下降させたときに、弁箱内周面下半部に設けられた下向き円弧状の下部弁座１２ａ及び前記開口部１３の弁体収容部側の対向面にそれぞれ形成された上部弁座１３ａに弁体１５が当接することによって全閉状態（図１６）となる。また、鋳物によって形成した弁箱１２は、弁箱内に設けられる弁座を含めて全体に粉体塗装を施すことにより、弁箱１２の耐久性を大幅に向上させることができる。
【００１１】
弁体１５は、偏平円盤状に形成された金属製の弁本体２１と、該弁本体２１の上部に装着される金属製の雌ネジ部材２２とを備えるとともに、弁本体２１を覆うように装着されるゴム製の十分な弾力性を有するシール材２３を備えており、弁本体２１の中央上下方向に、雌ネジ部材２２に螺合する前記弁棒１７を収容するための弁棒収納筒部２４が設けられ、雌ネジ部材２２の両側部には、弁箱１２から弁体収容部１４にわたって設けられたガイド溝１８に摺接するガイド部材２５がそれぞれ取り付けられている。また、弁本体２１及び雌ネジ部材２２には、弁体１５を組立状態に保持するための抜け止めピン２６が挿入されている。
【００１２】
弁本体２１の外面外周には、シール材２３を保持するための周状凸部２１ａが全周にわたって連続して設けられており、弁本体２１の外面上部には、前記周状凸部２１ａの内周側に凸部２１ｂが半月状に設けられ、さらに、前記弁棒収納筒部２４の外面にも、シール材２３を保持するための凹凸部２１ｃが設けられている。また、前記雌ネジ部材２２を装着するため、弁本体２１の上部中央部には、前記弁棒収納筒部２４に連続した状態の凹部２１ｄが上方を開口した状態で設けられ、弁本体２１の上部外周には、前記凹部２１ｄの上端部に連続した状態の凹溝２１ｅが設けられている。さらに、弁本体２１の両側部には、前記抜け止めピン２６を弁棒１７に直交する方向に挿通するためのピン挿通孔２１ｆが設けられている。
【００１３】
シール材２３は、前記弁本体２１の下半部に装着されて前記下部弁座１２ａに当接する下部シール部２３ａと、前記弁本体２１の上半部両側面に装着されて前記上部弁座１３ａにそれぞれ当接する一対の上部シール部２３ｂ，２３ｂとが一体に形成され、上部シール部２３ｂ，２３ｂの間には、前記弁本体２１及び前記雌ネジ部材２２が挿入可能な空間が形成されている。各シール部２３ａ，２３ｂの内面外周部には、弁本体２１の外面外周に設けた前記周状凸部２１ａに係合する周状凹部２３ｃが全周にわたって連続して設けられており、内面上部には、弁本体２１の前記凸部２１ｂが嵌合する半円形の開口部２３ｄが形成され、内面下部の中央部には、弁本体２１の前記凹凸部２１ｃに対応する係合凹凸部２３ｅが設けられている。また、シール材２３の側面部で、前記ピン挿通孔２１ｆに対応した位置には、前記抜け止めピン２６を挿通するための挿入口２３ｆが設けられている。
【００１４】
雌ネジ部材２２は、上部中央に前記弁棒１７が螺合する雌ねじ部２２ａが設けられ、該雌ねじ部２２ａの下部には、弁本体２１の前記凹部２１ｄにそれぞれ挿入される一対の脚部２２ｂが設けられ、両脚部２２ｂの下端部には、前記抜け止めピン２６の先端部が挿入される係合凹部２２ｃが、弁棒１７に直交する方向で弁体外周側を向いた状態でそれぞれ設けられている。雌ねじ部２２ａの基部に連続する雌ネジ部材２２の上部外周には、弁本体２１に装着したシール材２３における前記上部シール部２３ｂ，２３ｂの上部外縁を覆う円弧状の保持凸部２２ｄが設けられ、該保持凸部２２ｄの両下端部外面には前記ガイド部材２５が嵌合する嵌合凸部２２ｅ及び位置決め凹部２２ｆがそれぞれ設けれている。
【００１５】
弁本体２１と雌ネジ部材２２とシール材２３との組み付けは、以下の手順によって行うことができる。まず、シール材２３の上部から、両上部シール部２３ｂの間の空間に弁本体２１を挿入し、シール材２３の弾力性を利用して周状凸部２１ａと周状凹部２３ｃ、凸部２１ｂと開口部２３ｄ、凹凸部２１ｃと係合凹凸部２３ｅをそれぞれ係合させ、弁本体２１の外面にシール材２３を装着した状態とする。
【００１６】
次に、弁本体２１の上部から脚部２２ｂを凹部２１ｄに挿入しながら雌ネジ部材２２を凹溝２１ｅ内に嵌合させるとともに、保持凸部２２ｄ，２２ｄの下面を上部シール部２３ｂ，２３ｂの上面に当接させる。そして、雌ネジ部材２２をシール材２３を介して弁本体２１に押し付けた状態で、シール材２３の挿入口２３ｆから弁本体２１のピン挿通孔２１ｆを通して両側の抜け止めピン２６を挿入し、先端を雌ネジ部材２２の係合凹部２２ｃにそれぞれ挿入する。
【００１７】
これにより、抜け止めピン２６によって弁本体２１と雌ネジ部材２２とが結合固定された状態となり、シール材２３は、上部が弁本体２１と雌ネジ部材２２との間に挟持され、シール材自身の弾力性によって各凹凸係合部が弁本体２１に係合することにより、弁本体２１及び雌ネジ部材２２と一体化する。このようにして弁体１５を形成することにより、弁本体２１に従来のようなボルト挿通孔を貫通形成する必要がないので、全閉時のシール性を確保することができ、確実なシール状態を得ることができる。
【符号の説明】
【００１８】
１１…ソフトシール仕切弁、１２…弁箱、１２ａ…下部弁座、１３…開口部、１３ａ…上部弁座、１４…弁体収容部、１５…弁体、１６…操作部、１７…弁棒、１８…ガイド溝、２１…弁本体、２１ａ…周状凸部、２１ｂ…凸部、２１ｃ…凹凸部、２１ｄ…凹部、２１ｅ…凹溝、２１ｆ…ピン挿通孔、２２…雌ネジ部材、２２ａ…雌ねじ部、２２ｂ…脚部、２２ｃ…係合凹部、２２ｄ…保持凸部、２２ｅ…嵌合凸部、２２ｆ…位置決め凹部、２３…シール材、２３ａ…下部シール部、２３ｂ…上部シール部、２３ｃ…周状凹部、２３ｄ…開口部、２３ｅ…係合凹凸部、２３ｆ…挿入口、２４…弁棒収納筒部、２５…ガイド部材、２６…抜け止めピン
【図１】
2014092262.tif 000003
【図２】
2014092262.tif 000004
【図３】
2014092262.tif 000005
【図４】
2014092262.tif 000006
【図５】
2014092262.tif 000007
【図６】
2014092262.tif 000008
【図７】
2014092262.tif 000009
【図８】
2014092262.tif 000010
【図９】
2014092262.tif 000011
【図１０】
2014092262.tif 000012
【図１１】
2014092262.tif 000013
【図１２】
2014092262.tif 000014
【図１３】
2014092262.tif 000015
【図１４】
2014092262.tif 000016
【図１５】
2014092262.tif 000017
【図１６】
2014092262.tif 000018
【図１７】
2014092262.tif 000019